(57)【要約】【課題】パスワードの管理に適した手帳を提供することを目的とする。【解決手段】  本発明の実施形態に係る手帳は、パスワードを構成する文字列を指定する乱数表と、パスワードを示す情報をアカウント毎に記録するための記録欄とを備える。乱数表は、縦横に並んだ複数のマス目を有し、各マス目にパスワードの一部を構成する文字列が印刷された文字列欄と、文字列欄におけるマス目の列の数に応じた数のマス目を有し、各マス目に列を示す列表示記号が印刷された列座標欄と、文字列欄におけるマス目の行の数に応じた数のマス目を有し、各マス目に行を示す行表示記号が印刷された行座標欄とを有する。【選択図】図２
2019136916.tif 000002
【特許請求の範囲】
【請求項１】
パスワードを構成する文字列を指定する乱数表と、
前記パスワードを示す情報をアカウント毎に記録するための記録欄と
を備える手帳であって、
前記乱数表は、
縦横に並んだ複数のマス目を有し、各マス目にパスワードの一部を構成する文字列が印刷された文字列欄と、
前記文字列欄におけるマス目の列の数に応じた数のマス目を有し、各マス目に列を示す列表示記号が印刷された列座標欄と、
前記文字列欄におけるマス目の行の数に応じた数のマス目を有し、各マス目に行を示す行表示記号が印刷された行座標欄と
を有することを特徴とする手帳。
【発明の詳細な説明】
【技術分野】
【０００１】
本発明は、インターネット上でのサービスに用いるパスワードの管理に適した手帳に関する。
【背景技術】
【０００２】
近年、インターネットを利用した様々なサービスが提供されている。通常、このようなインターネット上でのサービスでは、会員登録等を行い、ログインＩＤとそれに紐づいたパスワードを入力することによって、利用者に固有のアカウント情報を用いたサービスが利用可能となる。
【０００３】
多くの場合、ログインＩＤに紐づけるパスワードは、利用者が設定できるように構成されているが、利用者は、自身が覚えやすいパスワードを設定しがちである。例えば、誕生日等の日付、氏名やニックネーム、その他の実在する単語、あるいはこれらの組み合わせに由来する文字列が、パスワードとして設定されることが多い。また、ログインＩＤやパスワードが不明にならないように、サイト名、ＵＲＬ、ＩＤ、パスワードなどの情報を記録するための手帳が提案されている（例えば特許文献１）。
【先行技術文献】
【特許文献】
【０００４】
【特許文献１】特開２０１０−１９５０２４号公報
【発明の概要】
【発明が解決しようとする課題】
【０００５】
ところで、他人のログインＩＤを用いて不正にインターネット上のサービスに侵入するハッキング行為が問題となっているが、ハッキングの手口として、大量に準備したログインＩＤとパスワードの候補をランダムに組み合わせて何度もログインを試みる、いわゆる「総当たり攻撃」や「辞書攻撃」といった方法がある。複数のサービスで、同じＩＤとパスワードの組み合わせを使いまわしていることが少なくないことから、１つのサービスでログインＩＤとパスワードの組み合わせを他人に知られてしまうと、他のサービスでも不正な侵入が行われる可能性が高まり、被害が拡大する恐れがある。
【０００６】
上記のハッキングの方法では、ログインＩＤとパスワードをランダムに組み合わせることから、偶然によりログインＩＤとパスワードの正しい組み合わせが試行される場合があるため、いくらパスワードが漏洩しないように対策しても不正を防ぐことは難しい。上述の日付や単語等は、利用者が思いつきやすく覚えやすい反面、試行するパスワードに含まれる可能性が高く、ハッキングされやすい傾向がある。一方、意味のない文字列、「％」や「＄」といった各種の記号を含む文字列等は、利用者にとっては覚えにくく、容易に作成できるものでもないが、試行するパスワードに含まれにくく、ハッキングされにくい傾向がある。
【０００７】
このように、パスワードの作りやすさ覚えやすさとハッキングのされやすさとはトレードオフの関係にあるが、これらを両立できることが望ましい。
【０００８】
本発明は、上記課題の解決のためになされたものであり、パスワードの管理に適した手帳を提供することを目的とする。
【課題を解決するための手段】
【０００９】
上記の課題を解決すべく、本発明の実施形態に係る手帳は、パスワードを構成する文字列を指定する乱数表と、パスワードを示す情報をアカウント毎に記録するための記録欄とを備える。乱数表は、縦横に並んだ複数のマス目を有し、各マス目にパスワードの一部を構成する文字列が印刷された文字列欄と、文字列欄におけるマス目の列の数に応じた数のマス目を有し、各マス目に列を示す列表示記号が印刷された列座標欄と、文字列欄におけるマス目の行の数に応じた数のマス目を有し、各マス目に行を示す行表示記号が印刷された行座標欄とを有する。
【図面の簡単な説明】
【００１０】
【図１】手帳１の外観を示す斜視図である。
【図２】手帳用紙１０の見開き状態を示す平面図である。
【図３】乱数表１０２の変形例を示す図である。
【図４】手帳１の使用例を示す図である。
【発明を実施するための形態】
【００１１】
以下、図面を参照して本発明の実施の形態に係る手帳１を説明する。
【００１２】
図１は、手帳１の外観を示す斜視図である。手帳１は、複数の手帳用紙１０が表紙カバー１１内にとじ込まれ、冊子状に製本されている。図２は、手帳用紙１０の見開き状態を示す平面図である。見開き状態における左ページ１０Ｌの上部には、カレンダー欄１０１が配され、下部には乱数表１０２が配される。また、見開き状態における右ページ１０Ｒには、記録欄１０３が配される。
【００１３】
カレンダー欄１０１には、１カ月毎のカレンダーが印刷されており、スケジュール等を自由に記入することができる。乱数表１０２は、パスワードを構成する文字列を指定する。乱数表１０２は、縦横に並んだ複数のマス目を有しており、行座標欄１０２ａ、列座標欄１０２ｂ、および文字列欄１０２ｃで構成される。図２の例では、乱数表１０２の最左列が行座標欄１０２ａであり、最上行が列座標欄１０２ｂである。また、乱数表１０２における行座標欄１０２ａ及び列座標欄１０２ｂ以外の部分が文字列欄１０２ｃである。
【００１４】
文字列欄１０２ｃは、縦横に並んだ複数のマス目（セル）により構成される。各マス目には、それぞれパスワードの一部を構成する文字列が印刷されている。文字列は、アルファベット、数字、及び記号をランダムに並べたものとするとよい。文字列は、全てのマス目で異なっていてもよいし、一部のマス目では共通としてもよい。文字列は、全てのマス目で共通の文字数（例えば４文字）の文字列としてもよいし、共通の文字数としなくてもよい。乱数表１０２は毎月異なることが好ましい。
【００１５】
行座標欄１０２ａは、文字列欄１０２ｃにおけるマス目の行の数に応じた数のマス目を有する。行座標欄１０２ａを構成する各マス目には、文字列欄１０２ｃの行を示す行表示記号が印刷されている。同様に、列座標欄１０２ｂは、文字列欄１０２ｃにおけるマス目の列の数に応じた数のマス目を有し、列座標欄１０２ｂを構成する各マス目には、文字列欄１０２ｃの列を示す列表示記号が印刷されている。行表示記号と列表示記号の組み合わせにより、文字列欄１０２ｃのマス目を特定することができる。行表示記号及び列表示記号は、数字の「１」、「２」、「３」、あるいはアルファベットの「Ａ」、「Ｂ」、「Ｃ」のように、連続性のある一連の文字としてもよいが、ランダムな文字としてもよい。また、行表示記号及び列表示記号は、図３に示した乱数表１０２の変形例に示されるように、文字に限らず、記号や絵であってもよい。
【００１６】
記録欄１０３は、パスワードを示す情報をアカウント毎に記録しておくための欄であり、アカウント（インターネット上でのサービスの名称）毎に、日付、パスワード配列、メモ等を記入する欄が設けられる。
【００１７】
続いて、以上のように構成される手帳１の使用方法を説明する。インターネット上でのサービスの利用登録や設定変更において、新たにパスワードを設定する状況を想定する。このような状況において、利用者は、手帳１におけるパスワードを設定する日に対応する月のページを開き、設定するパスワードの文字数の範囲に応じて、文字列欄１０２ｃから必要な数のマス目を選択する。選択した複数のマス目の文字列を繋げた文字列が作成されたパスワードとなる。そして、各マス目を特定するための行表示記号及び列表示記号を、記録欄１０３のパスワード配列の欄に記入する。同時に、アカウント、日付等も記入する。このようにして作成したパスワードを、当該アカウントに設定する。パスワードを思い出す必要がある時には、記録欄１０３に記入してある日付に対応する月の乱数表１０２からパスワード配列に対応するマス目の文字列を特定することで、複雑なパスワードを簡単に思い出すことができる。
【００１８】
図４は、手帳１の具体的な使用例を示している。すなわち、手帳１の２０１８年１月のページの記入欄１０３には、ＳＮＳサービスＡについて２０１８年１月１０日に作成したパスワードを示すパスワード配列として、「Ｃ４Ｅ２Ｂ７」が記入されている。このパスワード配列が示すパスワードは、行表示記号と列表示記号の組み合わせが「Ｃ４」、「Ｅ２」、及び「Ｂ７」である乱数表１０２のマス目の文字列を順に並べたものとして特定することができる。乱数表１０２の「Ｃ４」、「Ｅ２」、及び「Ｂ７」の文字列は、それぞれ「＄Ｊｍ８」、「Ｔｏ７＃」、及び「？２Ｃｆ」であるから、ＳＮＳサービスＡについて設定されたパスワードが「＄Ｊｍ８Ｔｏ７＃？２Ｃｆ」であることがわかる。ＳＮＳサービスＢ、ストレージサービスＣについても、それぞれ日付やパスワード配列が記入され、乱数表１０２に基づきパスワードを特定することが可能である。
【００１９】
なお、上記の使用方法は一例であり、これとは異なる方法で使用してもよい。例えば、作成したパスワードを示すパスワード配列として、行表示記号と列表示記号の組み合わせの他に、任意の文字や記号を含めてもよい。すなわち、パスワード配列として「Ｃ４ｈＥ２」と記録欄１０３に記入してある場合に、乱数表１０２の「Ｃ４」に印刷された「＄Ｊｍ８」、文字「ｈ」、及び乱数表１０２の「Ｅ２」印刷された「Ｔｏ７＃」を順に並べた「＄Ｊｍ８ｈＴｏ７＃」をパスワードとして特定するように用いてもよい。
【００２０】
また、行表示記号及び列表示記号の組み合わせについては手帳１に記入せずに利用者自身が覚えておくこととし、記録欄１０３にアカウントとパスワードを作成した日付だけを記入してもよい。この場合、パスワードを思い出す必要がある時には、当該アカウントのパスワードを作成した日付に対応する月の乱数表１０２を参照して、パスワードの文字列を特定するとよい。
【００２１】
以上で説明したように、本発明の実施形態に係る手帳によれば、ハッキングが困難な複雑なパスワードを簡単に作成することができるだけでなく、作成したパスワードを忘れないようにパスワード配列として記録しておくことができる。乱数表を毎月異なるようにすることで、同じパスワードが複数のアカウントに用いられにくくすることができ、１つのアカウントがハッキングされた場合でも、その影響が他のアカウントに及ぶことを防ぐことができる。
【００２２】
なお、上記に本発明の実施形態を説明したが、本発明はこれらの例に限定されるものではない。たとえば、手帳用紙１０のレイアウトは任意である。また、冊子状の手帳としての提供に限らず、手帳用紙１０を差し替え可能ないわゆるリフィル形式で提供してもよい。また、前述の実施形態に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００２３】
１  手帳
１０  手帳用紙
１０１  カレンダー欄
１０２  乱数表
１０３  記録欄
【図１】
2019136916.tif 000003
【図２】
2019136916.tif 000004
【図３】
2019136916.tif 000005
【図４】
2019136916.tif 000006